(57)【要約】【課題】正常な入力ではあるが不都合が生じる可能性のある指示である場合は確実にユーザの意志を反映させてから実行することにより、キーの押し間違いや子供がリモコンで遊んでいた場合などに生じる誤操作をなくしたＡＶ機器を提供することである。【解決手段】ＨＤＤ一体型光ディスク装置（ＡＶ機器）１０は、キー操作により入力される操作部２６を備え、所定値以上の音量設定指示、ファームウェアの更新指示、記録媒体のデータの消去指示、記録媒体のフォーマット指示、録画予約の消去指示又は録画予約の変更指示が入力された場合、２以上の所定キーを所定順に操作することを表示部２７に表示させることによって促し、該操作が全てなされた場合にのみ前記指示を実行させる構成とする。【選択図】図１
2008172700.tif 000002
【特許請求の範囲】
【請求項１】
キー操作により入力されるリモコンと、該リモコンに設けられ信号を送信するリモコン側送信部と、前記リモコン側送信部からの信号を受信する装置側受信部と、前記リモコンへ信号を送信する装置側送信部と、前記リモコンに設けられ前記装置側送信部からの信号を受信するリモコン側受信部と、前記リモコンの各キーの裏面にそれぞれ設けられ対応するキーを透過する光を発する光源と、表示部と、記録媒体の記録及び再生を行う記録媒体記録再生部と、各部を制御する制御部とを備えたＡＶ機器において、
前記制御部は、
所定値以上の音量設定指示、ファームウェアの更新指示、記録媒体のデータの消去指示、記録媒体のフォーマット指示、録画予約の消去指示又は録画予約の変更指示が入力された場合、２以上の所定キーを所定順に操作することを所定キーに対応した光源を順次発光させることによって促し、該操作が全てなされた場合にのみ前記指示を実行させることを特徴とするＡＶ機器。
【請求項２】
キー操作により入力される操作部と、各部を制御する制御部とを備えたＡＶ機器において、
前記制御部は、
正常な入力ではあるが不都合が生じる可能性のある指示が入力された場合、複数の所定の入力を促し、該入力が全てなされた場合にのみ前記指示を実行させることを特徴とするＡＶ機器。
【請求項３】
前記複数の所定の入力は、２以上の所定キーを所定順に操作することであることを特徴とする請求項２記載のＡＶ機器。
【請求項４】
前記複数の所定の入力を促す表示を行う表示部を備えたことを特徴とする請求項２又は３記載のＡＶ機器。
【請求項５】
前記正常な入力ではあるが不都合が生じる可能性のある指示とは、所定値以上の音量設定指示又はファームウェアの更新指示であることを特徴とする請求項２〜４の何れかに記載のＡＶ機器。
【請求項６】
記録媒体の録画及び再生を行う記録媒体記録再生部を備え、前記正常な入力ではあるが不都合が生じる可能性のある指示とは、記録媒体のデータの消去指示、記録媒体のフォーマット指示、録画予約の消去指示又は録画予約の変更指示であることを特徴とする請求項２〜５の何れかに記載のＡＶ機器。
【請求項７】
前記操作部がリモコンであることを特徴とする請求項２〜６の何れかに記載のＡＶ機器。
【請求項８】
前記リモコンに設けられ信号を送信するリモコン側送信部と、前記リモコン側送信部からの信号を受信する装置側受信部と、前記リモコンへ信号を送信する装置側送信部と、前記リモコンに設けられ前記装置側送信部からの信号を受信するリモコン側受信部と、前記リモコンの各キーの裏面にそれぞれ設けられ対応するキーを透過する光を発する光源とを備え、
前記複数の所定の入力を促す際、入力を促す所定キーに対応した光源を順次発光させることを特徴とする請求項７記載のＡＶ機器。
【発明の詳細な説明】
【技術分野】
【０００１】
本発明は、リモコンなどで操作可能なＡＶ機器に関する。
【背景技術】
【０００２】
ＡＶ機器としてＣＤ、ＤＶＤ、ビデオカセット、ハードディスクなどを記録媒体とする再生機や記録再生機、テレビなどが普及している。ＡＶ機器のリモコンなどの操作部を操作した場合、例えば停止状態で再生キーを押した場合など通常の入力の場合は直ぐにその操作が実行されるが、録画中に電源オフキーを押した場合など異常な入力の場合はその入力は実行されない。また、録画中に停止キーを押した場合や録画したタイトルを消去するキーを押した場合など、正常な入力ではあるが不都合が生じる可能性のある指示である場合は、キーの押し間違いや子供がリモコンで遊んでいた場合などに生じる誤操作を考慮し、更に決定キーを押すなどの確定操作をしないと実行されないようになっている。このような技術は様々なものが提案されている。
【０００３】
例えば、特許文献１には、再生指示がなされると、パネル表示部には暫定操作によって「再生」が表示されるとともに、同様な音声出力に基づいて操作指示内容が確認でき、２度目の操作で確定操作となり、「再生」の文字が表示された状態で、再生処理が実行される電子機器が開示されている。
【０００４】
また特許文献２には、複数の番組映像データを同時に記録しているときに、記録停止を行った場合に、選択されている番組映像データに対する記録を停止し、複数の番組映像データを個々に記録停止させることにより、記録停止させたくない番組映像データを誤って記録停止させてしまうことがない録画装置が開示されている。
【特許文献１】特開２００５−１３０２８８号公報
【特許文献２】特開２００１−１９７４１３号公報
【発明の開示】
【発明が解決しようとする課題】
【０００５】
しかしながら、決定キーなどは大きく設けられているので上記の確定操作は簡単に操作することができ、子供が偶然押す可能性も高く、誤操作を完全に防ぐことはできていない。また特許文献１の確定操作も容易である。さらに特許文献２でも子供が無作為に記録停止を行うことは可能である。
【０００６】
このように、従来は子供がリモコンで遊んでいて偶然記録データを消去してしまうなど、ユーザが意図していない操作によってその指示が実行されてしまう可能性が十分ある。
【０００７】
本発明は、正常な入力ではあるが不都合が生じる可能性のある指示である場合は確実にユーザの意志を反映させてから実行することにより、キーの押し間違いや子供がリモコンで遊んでいた場合などに生じる誤操作をなくしたＡＶ機器を提供することを目的とする。
【課題を解決するための手段】
【０００８】
上記目的を達成するために本発明は、キー操作により入力される操作部と、各部を制御する制御部とを備えたＡＶ機器において、前記制御部は、正常な入力ではあるが不都合が生じる可能性のある指示が入力された場合、複数の所定の入力を促し、該入力が全てなされた場合にのみ前記指示を実行させることを特徴とする。
【０００９】
上記のＡＶ機器において、誤操作を防ぐ確率を上げる観点から、前記複数の所定の入力は、２以上の所定キーを所定順に操作することであることが好ましい。
【００１０】
また上記のＡＶ機器において、ユーザに操作キーを報知して使い勝手を向上させる観点から、前記複数の所定の入力を促す表示を行う表示部を備えることが好ましい。
【００１１】
また上記のＡＶ機器において、前記正常な入力ではあるが不都合が生じる可能性のある指示とは、例えば、所定値以上の音量設定指示又はファームウェアの更新指示である。
【００１２】
また上記のＡＶ機器において、記録媒体の録画及び再生を行う記録媒体記録再生部を備える場合、前記正常な入力ではあるが不都合が生じる可能性のある指示とは、例えば、記録媒体のデータの消去指示、記録媒体のフォーマット指示、録画予約の消去指示又は録画予約の変更指示である。
【００１３】
また上記のＡＶ機器において、遠隔操作を可能にして使い勝手を向上させる観点から、前記操作部はリモコンであることが好ましい。
【００１４】
また上記のＡＶ機器において、前記リモコンに設けられ信号を送信するリモコン側送信部と、前記リモコン側送信部からの信号を受信する装置側受信部と、前記リモコンへ信号を送信する装置側送信部と、前記リモコンに設けられ前記装置側送信部からの信号を受信するリモコン側受信部と、前記リモコンの各キーの裏面にそれぞれ設けられ対応するキーを透過する光を発する光源とを備え、前記複数の所定の入力を促す際、入力を促す所定キーに対応した光源を順次発光させる構成としてもよい。
【００１５】
この構成によれば、ユーザはリモコンのキーだけを見て容易に操作することが可能となり、使い勝手が向上する。
【００１６】
本発明を具体化すると、キー操作により入力されるリモコンと、該リモコンに設けられ信号を送信するリモコン側送信部と、前記リモコン側送信部からの信号を受信する装置側受信部と、前記リモコンへ信号を送信する装置側送信部と、前記リモコンに設けられ前記装置側送信部からの信号を受信するリモコン側受信部と、前記リモコンの各キーの裏面にそれぞれ設けられ対応するキーを透過する光を発する光源と、表示部と、記録媒体の記録及び再生を行う記録媒体記録再生部と、各部を制御する制御部とを備えたＡＶ機器において、前記制御部は、所定値以上の音量設定指示、ファームウェアの更新指示、記録媒体のデータの消去指示、記録媒体のフォーマット指示、録画予約の消去指示又は録画予約の変更指示が入力された場合、２以上の所定キーを所定順に操作することを所定キーに対応した光源を順次発光させることによって促し、該操作が全てなされた場合にのみ前記指示を実行させる構成となる。
【発明の効果】
【００１７】
本発明によれば、正常な入力ではあるが不都合が生じる可能性のある指示が入力された場合、複数の所定の入力を促し、該入力が全てなされた場合にのみ指示を実行させることにより、確実にユーザの意志を反映させてから指示を実行することになり、キーの押し間違いや子供がリモコンで遊んでいた場合などに生じる誤操作をなくすことができる。その結果、機器の破損や必要なデータの削除などの不都合を回避できる。
【発明を実施するための最良の形態】
【００１８】
以下、ＡＶ機器の一例として、ハードディスクドライブ（ＨＤＤ）一体型光ディスク装置を用いて説明する。図１は、ＨＤＤ一体型光ディスク装置１０の構成及びその周辺機器を示すブロック図である。ＨＤＤ一体型光ディスク装置１０には、テレビ等の表示装置１１と、ケーブルテレビや衛星放送等のセットトップボックス又はビデオデッキ等の映像音声記録装置に代表される外部装置１２とが接続されている。以下では、光ディスクとしてＤＶＤを例に説明する。
【００１９】
ＨＤＤ一体型光ディスク装置１０は、アンテナ１５で受信したテレビ放送信号を復調、デジタル化するチューナ１６と、チューナ１６や外部装置１２から受け取った画像音声データをＭＰＥＧ２等に準拠して圧縮符号化したり、ＨＤＤ記録再生部１８又はＤＶＤ記録再生部１９で再生された圧縮された画像データを伸長復号したりする画像音声圧縮伸長部１７と、画像音声圧縮伸長部１７から受け取った圧縮された画像音声データをＨＤＤに記録したり、ＨＤＤに記録されたデータを再生したりするＨＤＤ記録再生部１８と、画像音声圧縮伸長部１７から受け取った圧縮された画像音声データを挿入されたＤＶＤに記録したり、ＤＶＤに記録されたデータを再生したりするＤＶＤ記録再生部１９と、各種設定値を表示装置１１の一部に表示しながら設定できるようにするＯＳＤ（On Screen Display）部２０と、ＯＳＤ部２０からの画像信号をアナログ化し、表示装置１１へ出力する画像出力部２１と、画像音声圧縮伸長部１７からの音声信号をアナログ化し、表示装置１１へ出力する音声出力部２２と、ＲＯＭやＲＡＭからなるメモリ２３と、複数のキーを備えキー操作により指示が入力される操作部２６と、操作部２６と同じ操作を遠隔操作可能にしたリモコン１３と、リモコン１３からの信号を受信する装置側受信部２４と、外部装置１２が接続される外部Ｉ／Ｆ２５と、液晶パネル等からなる表示部２７と、ＨＤＤ一体型光ディスク装置１０の各部を制御する制御部２８とを備えている。
【００２０】
また、制御部２８は、正常な入力ではあるが不都合が生じる可能性のある指示が入力された場合、複数の所定の入力を促し、該入力が全てなされた場合にのみ指示を実行させる制御も行う。以下、この制御について説明する。
【００２１】
図２は、ＨＤＤ一体型光ディスク装置１０の動作を示すフローチャートである。これから入力操作を受け付ける状態にするため、まずステップＳ１０において操作監視状態をクリアする。操作監視状態とは、操作が入力されてから所定時間その操作内容を保持している状態であり、次の操作を待っている状態である。具体的に操作監視状態のクリアは、ｆｌａｇ＝ｆａｌｓｅ、ｔｉｍｅｒ＝０、操作コード＝ｎｏｎにすることである。
【００２２】
ｆｌａｇは、所定の操作を行っているかを判断中はＴｒｕｅ、そうでないときはｆａｌｓｅとなる。所定の操作を行っているとは、正常な入力ではあるが不都合が生じる可能性のある指示が入力された後の操作を行っている状態を指す。ｔｉｍｅｒは、ｆｌａｇ＝ｔｒｕｅの場合に所定の操作がなされるかを検出する期間を制限するタイマーである。操作コードは、正常な入力ではあるが不都合が生じる可能性のある指示が入力された場合に、その入力された指示内容のことである。操作コード＝ｎｏｎは、正常な入力ではあるが不都合が生じる可能性のある指示が入力されていない状態を示している。
【００２３】
次にステップＳ１１へ進んでｔｉｍｅｒに１加算し、ステップＳ１２へ進んでｔｉｍｅｒの値が閾値を超えたか否かを判定する。ここで閾値はキー操作を有効に保持する時間間隔であるので、例えば１０秒に対応する値などとすればよく、製造時又はユーザによって予め記憶されている。ステップＳ１２においてｔｉｍｅｒの値が閾値を超えた場合は、ステップＳ１０に戻る。一方、ステップＳ１２においてｔｉｍｅｒの値が閾値を超えていない場合は、ステップＳ１３へ進んで入力があったか否かを判別する。
【００２４】
ステップＳ１３において、操作部２６又はリモコン１３が操作されて何らかの入力があった場合は、ステップＳ１４へ進み、入力がない場合はステップＳ１１に戻る。入力がありステップＳ１４へ進むと、ｆｌａｇ＝ｔｒｕｅか否かを判定する。
【００２５】
最初はｆｌａｇ＝ｆａｌｓｅなのでステップＳ１５へ進んで、操作された入力が、正常な入力ではあるが不都合が生じる可能性のある指示であるか否かを判別する。ここで、正常な入力ではあるが不都合が生じる可能性のある指示とは、例えば、所定値以上の音量設定指示、ファームウェアの更新指示、記録媒体のデータの消去指示、記録媒体のフォーマット指示、録画予約の消去指示又は録画予約の変更指示などであり、予め製造時やユーザによって登録された指示である。
【００２６】
所定値以上の音量設定とは、予め製造時に又はユーザが、限度と思われる最大音量を登録しておき、その音量を閾値としてその音量以上に音量を上げる操作がなされた場合を指す。また、ファームウェアの更新は、新しいファームウェアが記録された記録媒体から読み出してもよいし、ＨＤＤ一体型光ディスク装置１０をインターネットなどの通信ネットワークに接続可能とし、新しいファームウェアをダウンロードするようにしてもよい。
【００２７】
もしユーザの意志に反し、所定値以上の音量設定指示が実行されれば、大音量となり周囲に不快感を与え、またファームウェアの更新指示が実行されれば、更新中に電源コードが抜かれた場合に機器が破損するおそれがあり、また記録媒体のデータの消去指示や記録媒体のフォーマット指示が実行されれば、必要なデータが削除されるおそれがあり、録画予約の消去指示や録画予約の変更指示が実行されれば、必要なデータが保存されないおそれがあるなど、様々な不都合が生じる可能性がある。
【００２８】
ステップＳ１５において、操作された入力が、正常な入力であり不都合が生じる可能性のない指示である場合は、ステップＳ１６へ進んで入力された指示をそのまま実行し、ステップＳ１０に戻る。一方、ステップＳ１５において、操作された入力が、正常な入力ではあるが不都合が生じる可能性のある指示である場合は、ステップＳ１７へ進んでｆｌａｇ＝ｔｒｕｅ、ｔｉｍｅｒ＝０にし、ステップＳ１８へ進んで、操作された入力の指示内容を操作コードとしてメモリ２３に格納する。これにより、後で操作コードを読み出して指示内容を実行することができる。
【００２９】
次にステップＳ１９へ進んで、複数の所定の入力を促す表示を行う。複数の所定の入力とは、先に入力された指示を実行させるための確認であり、１つの所定キーを複数回連続して操作することとしたり、２以上の所定キーを所定順に操作することとし、予め製造時やユーザにより設定されたものとする。例えば、数字の「１」キーを２回連続して操作するようにしたり、数字の「１」キー、「２」キーを順に操作するようにしたり、「ＣＭスキップ」キー、数字の「１」キー、「３」キー、「５」キーを順に操作するように設定することができる。
【００３０】
図３に、リモコン１３のキーの一例を示す。ステップＳ１９で用いるキーは、数字キー、「決定」キー、「リターン」キー、矢印キー、再生キー、停止キー、「スロー」キー、「ズーム」キー、「ＣＭスキップキー」、「音声切換」キー、「表示」キーなど、指示の入力操作があった後は使用しないキーを用いることができる。
【００３１】
なお、子供がリモコン１３で遊んでいた場合などに誤操作を防止する観点からは、異なるキーを数多く入力させる設定がよいが、入力数が多すぎると操作が煩雑になるので、４つの異なるキーを順に操作する程度とするのが好ましい。また、上記の表示は、表示装置１１又は／及び表示部２７に表示させればよい。
【００３２】
ステップＳ１９からはステップＳ１１に戻り、ステップＳ１２を経てステップＳ１３で入力があれば、ステップＳ１４を経てステップＳ２０へ進む。ステップＳ２０では、ステップＳ１９で促した操作順序に沿って入力されたか否かを判定する。操作順序通りに最初のキー操作が行われた場合、例えば数字の「１」、「２」キーを順に操作する設定のときはまず「１」キーが操作された場合、ステップＳ２０からステップＳ２１へ進む。
【００３３】
ステップＳ２１では、促した全ての入力がなされたか否かを判定する。ステップＳ２０で「１」キーが操作された段階ではまだ全ての入力はなされていないので、ステップＳ１１に戻り、ステップＳ１２を経てステップＳ１３で「２」キーの入力があれば、ステップＳ１４、Ｓ２０を経てステップＳ２１へ進み、促した全ての入力がなされたと判定し、ステップＳ２２へ進む。ステップＳ２２では、ステップＳ１８で格納された操作コードを読み出し、その指示内容を実行する。
【００３４】
一方、入力を促したキー操作以外のキー操作が行われた場合は、ステップＳ２０において所定のキー操作が行われなかったと判定し、ステップＳ１０に戻る。ステップＳ１０に戻れば操作コード＝ｎｏｎ、ｆｌａｇ＝ｆａｌｓｅとなるので、今までの操作は全て破棄される。
【００３５】
このように、正常な入力ではあるが不都合が生じる可能性のある指示が入力された場合、数字キー「１」、「２」など複数の所定の入力を促し、該入力が全てなされた場合にのみ指示を実行させることにより、確実にユーザの意志を反映させてから指示を実行することになり、キーの押し間違いや子供がリモコンで遊んでいた場合などに生じる誤操作をなくすことができる。その結果、機器の破損や必要なデータの削除などの不都合を回避できる。
【００３６】
また、上記のステップＳ１９においては、リモコン１３の所定キーを光らせることで次に操作すべきキーを知らせるようにしてもよい。以下に、リモコン１３の所定キーを光らせる構成について説明する。ここで、図１の制御部２８にはリモコン１３へ信号を送信する装置側送信部が接続されているものとする。
【００３７】
図４は、リモコン１３の構成を示すブロック図である。リモコン１３は、信号を送信するリモコン側送信部３０と、装置側送信部からの信号を受信するリモコン側受信部３１と、複数のキーを備えキー操作により指示が入力されるリモコン側操作部３２と、リモコン側表示部３３と、リモコン側メモリ３４と、各キーの裏面にそれぞれ設けられ対応するキーを透過する光を発するＬＥＤなどからなる光源３５と、リモコン１３の各部を制御するリモコン側制御部３６とを備えている。
【００３８】
このようなリモコン１３の構成を採用した場合、図２のステップＳ１９の処理は、装置側送信部から複数の所定の入力を促す表示用の信号をリモコン側受信部３１へ送信し、入力すべき最初のキーに対応した光源３５を発光させ、ステップＳ２０でそのキーが操作されれば、次に操作すべきキーに対応した光源３５を発光させるようにすればよい。
【００３９】
このように、複数の所定の入力を促す際、入力を促す所定キーに対応した光源３５を順次発光させることにより、ユーザはリモコン側操作部３２だけを見て容易に操作することが可能となり、使い勝手が向上する。なお、リモコン側表示部３３に操作すべきキーを表示させるようにしても同様の効果を得ることができる。
【００４０】
なお、図２のフローチャートを動作させるのに用いるリモコン１３は、リモコン側送信部３０、リモコン側操作部３２、リモコン側メモリ３４、リモコン側制御部３６からなる従来のリモコンの構成とすれば足りる。
【産業上の利用可能性】
【００４１】
本発明のＡＶ機器は、ＣＤ、ＤＶＤ、ビデオカセット、ハードディスクなどを記録媒体とする再生機や記録再生機、テレビをはじめ、それらの複合機にも適用することができる。
【図面の簡単な説明】
【００４２】
【図１】本発明のＨＤＤ一体型光ディスク装置の構成及びその周辺機器を示すブロック図である。
【図２】本発明のＨＤＤ一体型光ディスク装置の動作を示すフローチャートである。
【図３】本発明のリモコンのキーの一例を示す図である。
【図４】本発明のリモコンの構成を示すブロック図である。
【符号の説明】
【００４３】
１０    ＨＤＤ一体型光ディスク装置（ＡＶ機器）
１３    リモコン
１８    ＨＤＤ記録再生部（記録媒体記録再生部）
１９    ＤＶＤ記録再生部（記録媒体記録再生部）
２４    装置側受信部
２６    操作部
２７    表示部
２８    制御部
３０    リモコン側送信部
３１    リモコン側受信部
３５    光源
【図１】
2008172700.tif 000003
【図２】
2008172700.tif 000004
【図３】
2008172700.tif 000005
【図４】
2008172700.tif 000006